(57)【特許請求の範囲】
【請求項１】
読み取り媒体を載置する媒体載置部材と、
前記媒体載置部材が固定される固定部材と、
前記媒体載置部材に対して前記固定部材を接着する接着部材と、
前記読み取り媒体を読み取る読み取り機構部と、
を備える画像読み取り装置であって、
前記固定部材は、
前記媒体載置部材に対向する第１の固定面を持った固定部材本体と、
前記固定部材本体の先端部から延設され、前記先端部を支点として前記媒体載置部材側への弾性変形が可能な第２の固定面を持った弾性部と、
前記弾性部の先端箇所に設けられ、前記媒体載置部材に対向する第３の固定面を持った突き当て部と、を有し、
前記接着部材により前記第１の固定面及び前記第２の固定面を前記媒体載置部材に接着し、前記第２の固定面が前記接着部材により前記媒体載置部材側に変形させられることにより、前記突き当て部の前記第３の固定面が前記媒体載置部材に圧接されることを特徴とする画像読み取り装置。
【請求項２】
前記固定部材本体は、板状をなし、
前記突き当て部は、前記弾性部の前記先端箇所が前記媒体載置部材側へ折り曲げられて形成されていることを特徴とする請求項１記載の画像読み取り装置。
【請求項３】
前記弾性部及び前記突き当て部は、
前記固定部材本体と一体で成形されていることを特徴とする請求項１又は２記載の画像読み取り装置。
【請求項４】
前記接着部材は、一定の厚みと弾性を有する両面接着テープであることを特徴とする請求項１〜３のいずれか１項記載の画像読み取り装置。
【請求項５】
前記固定部材本体は、前記画像読み取り装置本体に対して一体となるように配設された外枠部により構成されていることを特徴とする請求項１〜４のいずれか１項記載の画像読み取り装置。
【請求項６】
請求項１〜５のいずれか１項記載の画像読み取り装置と、
前記読み取り機構部により読み取られた前記読み取り媒体の画像から記録用媒体に記録画像を形成する画像形成装置と、
を備えることを特徴とする複合装置。
【発明の詳細な説明】
【技術分野】
【０００１】
本発明は、スキャナやファクシミリ装置等の画像読み取り装置と、この画像読み取り装置が画像形成装置の上部に装着された複写機やＭＦＰ（MultiFunction  Printer/Product/Peripheral）等の複合装置とに関するものである。
【背景技術】
【０００２】
従来の画像読み取り装置においては、読み取るための媒体を載置する媒体載置部材とこの媒体載置部材を固定する固定部材によって構成されていた。
【先行技術文献】
【特許文献】
【０００３】
【特許文献１】特開２００９−４４５２１号公報
【発明の概要】
【発明が解決しようとする課題】
【０００４】
しかしながら、従来の画像読み取り装置では、媒体載置部材と固定部材との間に形成される間隙は、お互いの部材の寸法精度に依存するため、仮に製造誤差によって間隙が大きくなった場合、媒体が入り込んでしまうという課題があった。
【課題を解決するための手段】
【０００５】
本発明の画像読み取り装置は、読み取り媒体を載置する媒体載置部材と、前記媒体載置部材が固定される固定部材と、前記媒体載置部材に対して前記固定部材を接着する接着部材と、前記読み取り媒体を読み取る読み取り機構部と、を備えている。前記固定部材は、前記媒体載置部材に対向する第１の固定面を持った固定部材本体と、前記固定部材本体の先端部から延設され、前記先端部を支点として前記媒体載置部材側への弾性変形が可能な第２の固定面を持った弾性部と、前記弾性部の先端箇所に設けられ、前記媒体載置部材に対向する第３の固定面を持った突き当て部と、を有し、前記接着部材により前記第１の固定面及び前記第２の固定面を前記媒体載置部材に接着し、前記第２の固定面が前記接着部材により前記媒体載置部材側に変形させられることにより、前記突き当て部の前記第３の固定面が前記媒体載置部材に圧接されることを特徴とする。
【０００６】
本発明の複合装置は、前記画像読み取り装置と、前記読み取り機構部により読み取られた前記読み取り媒体の前記画像から記録用媒体に記録画像を形成する画像形成装置と、を備えることを特徴とする。
【発明の効果】
【０００７】
本発明の画像読み取り装置及び複合装置によれば、次の（１）〜（４）のような効果がある。
【０００８】
（１）  固定部材本体の先端部には、弾性変形可能な弾性部が延設され、接着部材により、その弾性部の第２の固定面が引っ張られて変形し、突き当て部の第３の固定面が媒体載置部材に圧接（即ち、密着）される構成になっているので、仮に、媒体載置部材が湾曲しても、突き当て部の第３の固定面がその媒体載置部材に追従するため、その第３の固定面と媒体載置部材との間に隙間が発生しない。このため、読み取り媒体が媒体載置部材と固定部材との隙間に入り込むことがないので、読み取り媒体のずれを防止することができる。
【０００９】
（２）  固定部材本体の先端部に弾性部を延設したので、弾性部の厚さが大きくなることがない。このため、原稿枠よりも大きい読み取り媒体をセットする際の画像のぼやけを抑制できる。
【００１０】
（３）  固定部材本体の先端部に弾性部を延設したので、組み立て工数の抑制が可能となり、製造コストの削減が期待できる。
【００１１】
（４）  固定部材本体の先端部に弾性部を延設したので、固定部材本体と弾性部とを別部品で構成した場合に発生する弾性部の位置ずれが起こらない。このため、読み取り媒体のずれを防止することができる。
【図面の簡単な説明】
【００１２】
【図１】図１は本発明の実施例１における図４中の読み取り部及び原稿スケール部付近を示す図である。
【図２】図２は本発明の実施例１における複合装置の概略を示す外観図である。
【図３】図３は図２の複合装置の概略を示す構成図である。
【図４】図４は図２中のスキャナ部の概略を示す構成図である。
【図５】図５は図１（ｂ）中のフレームを示す断面図である。
【図６】図６は図１（ｂ）中の原稿スケール部付近を示す拡大図である。
【図７】図７は本発明の実施例２における図１（ａ）中の原稿スケール部付近を示す構成図である。
【発明を実施するための形態】
【００１３】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１４】
（実施例１の複合装置の構成）
図２は、本発明の実施例１における複合装置１の概略を示す外観図である。
【００１５】
複合装置１は、画像を形成して記録用媒体Ｐに画像を印刷する画像形成装置（例えば、プリンタ部）１０と、画像を読み取る画像読み取り装置（例えば、スキャナ部）４０とから構成されており、スキャナ部４０がプリンタ部１０の上部に装着されている。プリンタ部１０とスキャナ部４０とは、図示しない機械的接続部材によって結合され、図示しない電送部材によって電気的な接続を得ている。
【００１６】
更に、複合装置１は、図示しないが、パソコン等の上位装置との通信を行う上位通信手段と、スキャナ部４０で読み取った画像データを外部のファクシミリ装置に送信し又、外部から受信するファクシミリ電送手段と、スキャナ部４０で読み取った画像データを外部の電子機器へ電送し、又は外部から電送される画像データを受信する外部電送手段とを有している。
【００１７】
複合装置１は、装置機能として以下の（ａ）〜（ｄ）に挙げた機能を有するものである。
【００１８】
（ａ）  スキャナ部４０で、読み取った画像データをプリンタ部１０へ電送し、プリンタ部１０により記録用媒体Ｐに画像を形成する。
【００１９】
（ｂ）  例えば、パーソナルコンピュータ（以下「パソコン」という。）等の外部の電子機器からの電送信号を受けて、プリンタ部１０により記録用媒体Ｐに画像を形成する。
【００２０】
（ｃ）  スキャナ部４０で読み取った画像データをファクシミリ機能によって外部のファクシミリ装置に電送し、又は外部ファクシミリ装置から電送される画像データを受信する。
【００２１】
（ｄ）  スキャナ部４０で読み取った画像データを例えば、パソコンやＵＳＢ(Universal  Serial  Bus)メモリ等の外部の電子機器に電送する。
【００２２】
図３は、図２の複合装置１の概略を示す構成図である。
複合装置１におけるプリンタ部１０は、画像を形成する手段として公知の発光ダイオード（以下「ＬＥＤ」という。）タンデムカラー方式である電子写真方式を用いて、記録用媒体Ｐに画像を形成する機構部２０を内蔵している。機構部２０の下部には、記録用媒体Ｐを収納し、機構部２０へ供給する給紙カセット１１を備えている。給紙ローラ１２は、給紙カセット１１から記録用媒体Ｐを、１枚ずつ繰出して機構部２０へ供給するための機構であって、ワンウェイクラッチ機能を内蔵している。給紙ローラ１２の下流側には、給紙ローラ１２により記録用媒体Ｐが繰出され通過したことを検知するセンサ２１が設けられている。
【００２３】
センサ２１の下流側には、記録用媒体Ｐの斜行矯正手段を有するレジストローラ２２及びレジストローラ２２を記録用媒体Ｐが通過したことを検知するセンサ２３が設けられている。搬送ローラ２４は、記録用媒体Ｐを画像形成ユニット３０へ搬送する機能を有し、ライトセンサ２５は、画像形成ユニット３０内部で画像の形成を開始するタイミングを検知するものである。
【００２４】
画像形成ユニット３０は、ブラック（Ｋ）、イエロー（Ｙ）、マゼンダ（Ｍ）及びシアン（Ｃ）の複数の色に対応した複数の印字プロセスカートリッジ３１（＝３１Ｋ，３１Ｙ，３１Ｍ，３１Ｃ）と、記録用媒体Ｐを搬送するための搬送ベルトユニット３６とを有している。印字プロセスカートリッジ３１は、静電潜像を形成して記録用媒体Ｐに転写する複数の感光ドラム３２（＝３２Ｋ，３２Ｙ，３２Ｍ，３２Ｃ）と、現像剤としてのトナーを保持して感光ドラム３２等に供給する複数のトナーカートリッジ３３（＝３３Ｋ，３３Ｙ，３３Ｍ，３３Ｃ）と、複数の感光ドラム３２を帯電させる複数のチャージローラ３４（＝３４Ｋ，３４Ｙ，３４Ｍ，３４Ｃ）とを有している。
【００２５】
画像形成ユニット３０を構成する複数の印字プロセスカートリッジ３１（＝３１Ｋ、３１Ｙ、３１Ｍ、３１Ｃ）は、４色の現像剤像を形成するため、４セットが印刷用媒体Ｐの上流側から下流側への走行方向に沿って、ブラック（Ｋ）、イエロー（Ｙ）、マゼンタ（Ｍ）及びシアン（Ｃ）の順に配列されている。特にこれらを区別する必要のないときは、単に、印字プロセスカートリッジ３１と記述する。感光ドラム３２、トナーカートリッジ３３、チャージローラ３４、及び転写ローラ３５についても同様とする。
【００２６】
画像形成ユニット３０の下流側には、記録用媒体Ｐ上に印刷された画像を熱と圧力により定着させる定着ユニット２６と、記録用媒体Ｐをプリンタ部１０の外へ排出するための排出ユニット２７とが設けられている。
【００２７】
感光ドラム３２は、チャージローラ３４により帯電させられ、図示しない印字ヘッドからのＬＥＤ光を受けることにより静電潜像を形成し、トナーカートリッジ３３からのトナーの供給によって静電潜像を現像するように構成されている。搬送ベルトユニット３６は、記録用媒体Ｐを搬送する機能を有している。転写ローラ３５は、感光ドラム３２に現像された静電現像を記録用媒体Ｐに転写する機能を有している。定着ユニット２６は、記録用媒体Ｐに転写された静電現像を熱と圧力とにより記録用媒体Ｐ上に定着する機能を有している。排出ユニット２７は、現像剤像が定着された記録用媒体Ｐをプリンタ部１０の外へ排出する機能を有している。
【００２８】
（実施例１のスキャナ部の構成）
図４は、図２中のスキャナ部４０の概略を示す構成図である。
【００２９】
スキャナ部４０は、読み取り部４０ｂの上部にオートドキュメントフィーダ（以下「ＡＤＦ」という。）４０ａが設けられた構成となっている。ＡＤＦ４０ａには原稿トレイ４１が設けられていて、読み取り対象の読み取り媒体（例えば、原稿）４２をセットするようになっている。原稿トレイ４１の基部近傍には、原稿４２をＡＤＦ４０ａ内に繰出すためのピックアップローラ４３が設けられている。更に、下流にはピックアップローラ４３により繰出された原稿４２を、１枚ずつ分離搬送するための分離ローラ４４と、その分離ローラ４４の対向位置に分離パッド４５が設けられている。
【００３０】
ＡＤＦ４０ａは、外装部材５９を有しており、内部に原稿４２の搬送路４６が形成されている。この搬送路４６には搬送ローラ４７が設けられ、その対向位置には原稿４２を加圧し、搬送力を与えるプレッシャローラ４８が設けられている。
【００３１】
読み取り部４０ｂの内部には、表面５０ｃ及び裏面５０ｄを有する板状のＡＤＦ用読み取りガラス５０が水平方向に配置されている。原稿押さえ部材４９は、上部に取り付けられたスプリング５１によりＡＤＦ用読み取りガラス５０方向に付勢されており、搬送路４６内を搬送された原稿４２を、ＡＤＦ用読み取りガラス５０に押圧している。
【００３２】
原稿すくい上げ部材５５は、ＡＤＦ用読み取りガラス５０を通過した原稿４２を排出ローラ５２へと導くために、原稿４２をすくい上げる機能を有している。排出ローラ５２と、その対向位置に設けられたプレッシャローラ５３とは、読み取りを完了した原稿４２をＡＤＦ４０ａの外部のスタッカ部５６へ排出するものである。スタッカ部５６の下部には、媒体載置部材としてのフラットベッド（以下、「ＦＢ」という。）用読み取りガラス５７が設けられている。
【００３３】
読み取り機構部（例えば、読み取りセンサ）５４は、ＡＤＦ用読み取りガラス５０の裏面５０ｄに覆われている。読み取りセンサ５４は、光学式反射型イメージセンサであり、ＡＤＦ用読み取りガラス５０上の原稿４２に光を照射する発光素子と、原稿４２からの反射光を感知して電気信号に変換する受光素子とにより構成されている。
【００３４】
ＦＢ読み取りの場合には、ＦＢ用読み取りガラス５７に原稿４２が載置される。読み取りセンサ５４は、図示しない駆動機構により読み取り部４０ｂの内部を矢印Ｚで示す水平方向に往復運動が可能なように設けられている。読み取りセンサ５４は、この往復運動により、原稿４２上の画像を読み取るように構成されている。
【００３５】
ＡＤＦ読み取りの場合は、図４に示すように、読み取りセンサ５４は、ＡＤＦ用読み取りガラス５０を挟んで原稿押さえ部材４９の対向位置で停止している。
【００３６】
読み取り部４０ｂの下部は、内部の部材を保護する支持部材５８により覆われている。
【００３７】
（実施例１の読み取り部の構成）
図１（ａ）、（ｂ）は、本発明の実施例１における図４中の読み取り部４０ｂ及び原稿スケール部７２付近を示す図である。
【００３８】
図１（ａ）は、読み取り部４０ｂを斜め上方から見た斜視図である。読み取り部４０ｂの上面において、固定部材としてのフレーム７０に開口部が設けられ、ＡＤＦ用読み取りガラス５０とＦＢ用読み取りガラス５７とが載置されている。
【００３９】
フレーム７０には、外枠部としての固定部材本体７１と、固定部材本体７１から延設された弾性体としての原稿スケール部７２とが形成されている。原稿スケール部７２の上面には、原稿４２のサイズ（例えば、Ａ４、Ｂ４、Ａ３等）を示す文字が表示されている。
【００４０】
図１（ｂ）は、図１（ａ）におけるＸ−Ｘ断面図である。図５は、図１（ｂ）中のフレーム７０を示す断面図である。
【００４１】
固定部材本体７１は、第１の固定面としての底面７１ａを有している。原稿スケール部７２は、弾性部７２ｂと、突き当て部としての原稿突き当て部７３とを有している。原稿４２をＦＢ読み取るときには、原稿４２をこの原稿突き当て面７３ｂに突き当てることにより、原稿４２の位置決めを行うように構成されている。
【００４２】
弾性部７２ｂは、第２の固定面としての底面７２ａを有している。原稿突き当て部７３は、媒体載置部材としてのＦＢ用読み取りガラス５７に圧接する第３の固定面としての底面７３ａと、媒体を突き当てるための規制部としての原稿突き当て面７３ｂとを有している。
【００４３】
固定部材本体７１の底面７１ａと弾性部７２ｂの底面７２ａとは、接着部材（例えば、両面接着テープ）７４によって、ＦＢ用読み取りガラス５７に接着されている。このため、原稿スケール部７２は、ＦＢ用読み取りガラス５７の上面方向に付勢され、原稿突き当て部７３の底面７３ａがＦＢ用読み取りガラス５７の上面に密着するように構成されている。ＦＢ用読み取りガラス５７とフレーム７０とは、支持部材５８により、それぞれ支持されている。
【００４４】
フレーム７０の材質は、例えば、エンジニアリングプラスチックの一種であるＰＣ−ＡＢＳである。固定部材本体７１は、変形しやすいように薄く作られており、材料の厚さは２ｍｍ程度である。原稿スケール部７２は、更に薄く作られており、弾性変形可能に構成されている。
【００４５】
両面接着テープ７４は、ある程度の厚みと弾性を持ったものであり、例えば、厚みは０．４ｍｍ、素材はアクリルフォームである。
【００４６】
図５に示すように、固定部材本体７１の底面７１ａと弾性部７２ｂの底面７２ａとは、フレーム７０をＦＢ用読み取りガラス５７上に載置したときの高さが異なっている。ＦＢ用読み取りガラス５７を固定する両面接着テープ７４は、底面７１ａと底面７２ａとにまたがって貼り付けられている。
【００４７】
ＦＢ用読み取りガラス５７は、プラスチックで形成されたフレーム７０よりも硬く、変形しにくいため、フレーム７０内において、高さが異なる２つの面、即ち底面７１ａ及び底面７２ａのうち、ＦＢ用読み取りガラス５７の上面から遠いほうの底面７２ａが両面接着テープ７４によってＦＢ用読み取りガラス５７の上面方向に引き寄せられることになる。
【００４８】
その結果、薄く作られ弾性変形可能な原稿スケール部７２は、下方に湾曲するので、原稿スケール部７２内の原稿突き当て部７３の底面７３ａが、ＦＢ用読み取りガラス５７の上面に対して密着することになる。
【００４９】
図６は図１（ｂ）中の原稿スケール部７２付近を示す拡大図である。
図６を用いて、原稿スケール部７２付近の構成について、更に詳細に説明する。
【００５０】
実線で示される原稿スケール部７２は、その底面７２ａと両面接着テープ７４とがまだ接着されていない状態を示している。２点鎖線で示される原稿スケール部７２は、その底面７２ａと両面接着テープ７４とが接着された状態を示しており、図６中の両面接着テープ７４の左上端部に破線で示した部分で両面接着テープ７４が底面７２ａと接着していることを示している。
【００５１】
図６において、底面７１ａと底面７２ａとの距離を距離ｄ１、底面７２ａと底面７３ａとの距離を距離ｄ２、両面接着テープ７４の厚さを厚さｔ１、底面７３ａとＦＢ用読み取りガラス５７との間にできる間隙をｗ１とすると、間隙ｗ１は式１で表される。
ｗ１＝ｄ１＋ｔ１−ｄ２・・・（式１）
【００５２】
又、固定部材本体７１と原稿スケール部７２との境界を支点Ｐとしたとき、支点ＰからＬ１だけ離れた場所（即ち、原稿スケール部７２の長さ）に形成された間隙Ｗ１を埋めるためには、支点ＰからＬ２だけ離れた場所（即ち、両面接着テープ７４の端部と支点Ｐとの距離）両面接着テープ７４によってｗ２だけ引っ張る必要がある。このとき、ｗ１、ｗ２、Ｌ１、及びＬ２の関係は、式２で表される。
Ｌ１：Ｌ２＝ｗ１：ｗ２・・・（式２）
ここで、式２を計算すると、
ｗ１×Ｌ２＝ｗ２×Ｌ１から
ｗ２＝（ｗ１×Ｌ２）／Ｌ１・・・（式３）
となる。
【００５３】
ここで、原稿突き当て部７３の底面７３ａがＦＢ読み取りガラス５７に突き当たるには、原稿スケール部７２が支点Ｐを支点として、ｗ２だけ弾性変形するための最低限の空間が必要である。即ち、ｄ１≧ｗ２である必要がある。したがって、式３から
ｄ１≧ｗ２=（ｗ１×Ｌ２）／Ｌ１・・・（式４）
を満たす必要がある。
【００５４】
式１と式４から次の式５が求められ、これらのｄ１、ｄ２、ｔ１、Ｌ１及びＬ２を満たす関係にすることによって、ＦＢ用読み取りガラス５７と原稿突き当て部７３の間隙ｗ１を埋めることができる。
ｄ１≧（ｄ１＋ｔ１−ｄ２）×（Ｌ２／Ｌ１）・・・（式５）
【００５５】
（実施例１のスキャナ部の動作）
スキャナ部４０の画像読み取り動作について図１及び図４を用いて説明する。
【００５６】
画像読み取り動作は、ＡＤＦ４０ａによって搬送された原稿４２を読み取りセンサ５４が所定の位置に停止したまま読み取るＡＤＦ用読み取り動作と、ＦＢ用読み取りガラス５７に載置した原稿４２を読み取りセンサ５４が読み取り部４０ｂ内を副走査方向（図４のＺ方向）に移動しながら読み取るＦＢ用読み取り動作とがある。読み取りセンサ５４は、図示しない駆動機構と制御部の制御により動作する。
【００５７】
スキャナ部４０の画像読み取り動作のうち、ＦＤ読み取り動作について説明する。
【００５８】
利用者により原稿４２が、ＦＢ用読み取りガラス５７に載置され、フレーム７０の原稿突き当て面７３ｂに原稿４２が付き当てられる。フレーム７０の原稿スケール部７２の上面には、原稿４２のサイズを示す文字（例えば、Ａ４、Ｂ４、Ａ３等）が表示されている。利用者により、例えば、図示しない操作部のスタートボタンが押下されると、読み取りセンサ５４が読み取り部４０ｂ内を副走査方向に移動しながら、ＦＢ用読み取りガラス５７の下面側から原稿４２に光を照射して、原稿４２からの反射光を読み取る。この反射光は、光電変換されて図示しない記憶部に画像データとして記憶される。
【００５９】
このようにして読み取られた画像データは、図示しない電送部材によってプリンタ部１０へ送られ、プリンタ部１０によって画像が形成される。
【００６０】
（実施例１のプリンタ部の動作）
プリンタ部１０の画像形成動作について、図３を用いて説明する。
【００６１】
スキャナ部４０において、原稿４２のデータが読み取られると、給紙カセット１１にセットされた記録用媒体Ｐが、給紙ローラ１２によって給紙カセット１１から１枚ずつ繰り出され、レジストローラ２２及び搬送ローラ２４により画像形成ユニット３０へ搬送される。画像形成ユニット３０内でトナー像が転写ローラ３５によって転写された記録用媒体Ｐは、定着ユニット２６へ搬送され、記録用媒体Ｐ上のトナーが熱と圧力により定着される。その後、記録用媒体Ｐは、排出ユニット２７内を通過してプリンタ部１０の外へ排出され、画像の形成が終了する。
【００６２】
（実施例１の効果）
本実施例１のスキャナ部４０及び複合装置１によれば、次の（１）〜（７）のような効果がある。
【００６３】
（１）  ＦＢ読み取り時には、原稿突き当て面７３ｂに対して原稿４２を突き当てて、原稿４２の位置決めを行うが、原稿突き当て部７３の底面７３ａがＦＢ用読み取りガラス５７に密着しているので、原稿４２がＦＢ用読み取りガラス５７とフレーム７０との隙間に入り込むことがない。
【００６４】
（２）  原稿４２が正しく位置決めされるので、読み取り画像の位置ずれや読み取り画像が斜めになることを防ぐことができる。
【００６５】
（３）  原稿４２が隙間に入り込んでしまうことで原稿４２が曲がる、折れる、破れる等の原稿４２へのダメージを防ぐことができる。
【００６６】
（４）  原稿スケール部７２は、固定部材本体７１と一体で形成されているので、原稿スケール部７２の厚さが大きくなることがない。このため、原稿枠よりも大きい原稿４２をセットする際の画像のぼやけを抑制できる。
【００６７】
（５）  原稿スケール部７２は、固定部材本体７１と一体で形成されているので、組み立て工数の抑制が可能となり、製造コストの削減が期待できる。
【００６８】
（６）  原稿スケール部７２は、固定部材本体７１と一体で形成されているので、固定部材本体７１と弾性部７２ｂとを別部品で構成した場合に発生する弾性部７２ｂの位置ずれが起こらない。このため、読み取り媒体のずれを防止することができる。
【００６９】
（７）  両面接着テープ７４を用いて、ＦＢ用読み取りガラス５７をフレーム７０に固定することと、フレーム７０とＦＢ用読み取りガラス５７との間隙を埋める作用を同時に持たせたため、ＦＢ用読み取りガラス５７に外力が付加されてＦＢ用読み取りガラス５７が撓むことがあっても、その撓みに追従してフレーム７０とＦＢ用読み取りガラス５７との間隙を埋めることができる。
【実施例２】
【００７０】
（実施例２の構成）
本発明の実施例２におけるプリンタ部１０及びスキャナ部４０の構成は、実施例１と同様である。本実施例２と実施例１との相違点は、実施例２における読み取り部中の固定部材の構成が実施例１と異なっている点である。
【００７１】
図７（ａ）、（ｂ）は、本発明の実施例２における図１（ａ）中の原稿スケール部７２付近を示す構成図であり、実施例１を示す図１中の要素と共通の要素には共通の符号が付されている。
【００７２】
本実施例２における固定部材であるフレーム７０Ａの構成は、実施例１におけるフレーム７０とほぼ同様である。本実施例２のフレーム７０Ａと実施例１のフレーム７０との相違点は、本実施例２においては、原稿突き当て部７３Ａの高さが、固定部材本体７１の厚みよりも大きくなっている点である。更に、固定部材本体７１の底面７１ａのみがＦＢ用読み取りガラス５７に対して、両面接着テープ７４により接着されている点が実施例１と異なっている。
【００７３】
本実施例２では、フレーム７０ＡをＦＢ用読み取りガラス５７に対して接着すると、原稿スケール部７２が上方に湾曲して、原稿突き当て部７３ＡをＦＢ用読み取りガラス５７方向に付勢する。このため、原稿突き当て部７３Ａの底面７３Ａａが、ＦＢ用読み取りガラス５７に密着することになる。
【００７４】
更に、詳しく説明すると、図７（ａ）に示す通り、ＦＢ用読み取りガラス５７に対して固定部材本体７１は、両面接着テープ７４で固定されている。フレーム７０Ａにおける原稿スケール部７２は、固定部材本体７１の厚さよりも薄い構造となっている。
【００７５】
図７（ｂ）に示すように、原稿突き当て部７３Ａの高さは、固定部材本体７１に両面接着テープ７４を貼り付けた状態の厚さよりも大きくなっている。換言すれば、原稿突き当て部７３Ａの底面７３Ａａは、固定部材本体７１に張り付けられた両面接着テープ７４の底面よりもＦＢ用読み取りガラス５７の上面に近くなるように構成されている。
【００７６】
このように、原稿突き当て部７３Ａの底面７３Ａａが、固定部材本体７１に両面接着テープ７４を貼り付けた状態の両面接着テープ７４の底面よりも、ＦＢ用読み取りガラス５７の上面に近い構造となっている。このため、図７（ａ）に示すように、ＦＢ用読み取りガラス５７をフレーム７０Ａに取り付けた際、原稿突き当て部７３Ａの底面７３Ａａは、必然的にＦＢ用読み取りガラス５７の上面に密着することになる。
【００７７】
その際に、原稿スケール部７２の厚みは、固定部材本体７１の厚みよりも薄く構成されているので、原稿スケール部７２が上方に湾曲して、両面接着テープ７４にかかる力を小さく維持しながら、原稿突き当て部７３Ａの底面７３ＡａをＦＢ用読み取りガラス５７の上面に対して付勢することになる。その結果、原稿突き当て部７３ＡとＦＢ用読み取りガラス５７とが密着することになる。
【００７８】
（実施例２の動作）
本実施例２におけるスキャナ部４０及びプリンタ部１０の動作は、実施例１と同様である。
【００７９】
（実施例２の効果）
本発明の実施例２のスキャナ部４０及び複合装置１の効果は、実施例１とほぼ同様であるが、次のような点で異なっている。両面接着テープ７４による接着箇所が、実施例１においては、原稿スケール部７２の底面７２ａと、固定部材本体７１の底面７１ａと、ＦＢ用読み取りガラス５７の上面との３箇所である。これに対し、本実施例２では、固定部材本体７１の底面７１ａと、ＦＢ用読み取りガラス５７の上面との２箇所となるため、読み取り部４０ｂの組み立てが実施例１よりも容易になるという効果がある。
【００８０】
（変形例）
本発明は、上記実施例に限定されず、種々の利用形態や変形が可能である。この利用形態や変形例としては、例えば、次の（ａ）〜（ｄ）のようなものがある。
【００８１】
（ａ）  画像読み取り装置として、スキャナ部４０を用いて説明したが、スキャナだけではなく複写機、ファクシミリ装置、ＭＦＰ等であっても適用可能である。
【００８２】
（ｂ）  プリンタ部１０は、ＬＥＤタンデムカラー方式により記録用媒体Ｐに画像を形成して記録する場合で説明したが、プリンタ部１０は、レーザ方式、インクジェット方式、ドットマトリクスインパクト方式等により画像を形成し記録するものであってもよい。
【００８３】
（ｃ）  読み取りセンサ５４として、発光素子と受光素子とを有する光学式イメージセンサで説明したが、相補型ＭＯＳトランジスタ（ＣＭＯＳ）イメージセンサや、電荷結合素子（ＣＣＤ）イメージセンサを用いてもよい。
【００８４】
（ｄ）  原稿スケール部７２は、固定部材本体７１と同一の素材により一体で成形されていることで説明したが、弾性変形可能な他の素材により構成してもよい。
【符号の説明】
【００８５】
１                      複合装置
１０                      プリンタ部
４０                      スキャナ部
４０ａ                    自動原稿搬送装置（ＡＤＦ）
４０ｂ                    読み取り部
４２                      原稿
５４                      読み取りセンサ
５７                      ＦＢ用読み取りガラス
５８                      支持部材
７０，７０Ａ              フレーム
７１                      固定部材本体
７１ａ                    底面
７２                      原稿スケール部
７２ａ                    底面
７２ｂ                    弾性部
７３，７３Ａ              原稿突き当て部
７３ａ,７３Ａａ            底面
７３ｂ，７３Ａｂ          原稿突き当て面
７４                      両面接着テープ
【図１】
0005639906.tif 000002
【図２】
0005639906.tif 000003
【図３】
0005639906.tif 000004
【図４】
0005639906.tif 000005
【図５】
0005639906.tif 000006
【図６】
0005639906.tif 000007
【図７】
0005639906.tif 000008